(57)【要約】【課題】筺体内部に給水ポンプや給水タンク、試薬ボトルなどの液体を制御する機構を持った自動分析装置において、災害などの不測の事態により、筺体内部から予測不可能な漏水が発生した場合においても、当該漏水を外部へ浸水させないようにする目的とする。【解決手段】分析動作に必要な液体を扱う手段と、上面、底面および側面を有し、これらの面で囲まれた空間に前記手段を収容する筐体と、前記筐体の底面に設けられた排水溝と、前記排水溝内の水を装置外部に排出する排出口と、を備えた自動分析装置。【選択図】図１
2015141143.tif 000002
【特許請求の範囲】
【請求項１】
分析動作に必要な液体を扱う手段と、
上面、底面および側面を有し、これらの面で囲まれた空間に前記手段を収容する筐体と、
前記筐体の底面に設けられた排水溝と、
前記排水溝内の水を装置外部に排出する排出口と、を備えた自動分析装置。
【請求項２】
請求項１記載の自動分析装置において、
前記手段は、純水を貯留するタンク、洗浄水を貯留するボトル、前記タンク内の液体を送液するポンプ、ポンプにより送液された液体を任意の機構に送液する流路、の少なくともいずれかであり、前記底面の上に設けられていることを特徴とする自動分析装置。
【請求項３】
請求項１記載の自動分析装置において、
前記筐体は、前記手段が設置されている領域を、分析動作に必要な他の機構が設置されている領域と区切るための区切り手段を備えたことを特徴とする自動分析装置。
【請求項４】
請求項３記載の自動分析装置において、
前記区切り手段は領域を区分する壁構造、前記排水溝の少なくともいずれかであることを特徴とする自動分析装置。
【請求項５】
請求項３記載の自動分析装置において、
前記筐体は、前記上面の下方かつ前記底面の上方に設けられ、その一部に開口部を有する面を備え、
前記面に設けられた開口部は前記区切り手段で区切られた領域の上方に位置することを特徴とする自動分析装置。
【請求項６】
請求項５記載の自動分析装置において、
前記面は開口部に向かって傾斜を有することを特徴とする自動分析装置。
【発明の詳細な説明】
【技術分野】
【０００１】
本発明は、筐体構造を有する自動分析装置に関するものである。
【背景技術】
【０００２】
臨床検査用の自動分析装置では、試料分析を行う際に、試薬や純水などの液体を多量に使用する。そのため自動分析装置の筺体内部には、給水ポンプや給水タンク、試薬ボトルなど、液体を制御する機構と前記各機構から試薬や純水などの液体を自動分析装置の各部に送水する流路を搭載している。
【０００３】
このような自動分析装置において、装置内で液体が漏れて他の機構に影響を及ぼすことを防ぐために、たとえば特許文献１には、混合容器から廃液を排出する排出管で詰まりが発生した場合に迅速に対応することが可能な血液分析装置を提供することを目的として、血液検体と試薬とを混合するための反応チャンバと、規定量を超えて貯留された反応チャンバ内の液体を反応チャンバの外部に送液する送液管と、反応チャンバから送液管を通じて液体が送液されたか否かを検知する電極とを備えた血液分析装置が開示されている。
【先行技術文献】
【特許文献】
【０００４】
【特許文献１】特開２０１２−１８４９８２号公報
【発明の概要】
【発明が解決しようとする課題】
【０００５】
自動分析装置では、給水ポンプや給水タンク、洗浄ボトル、これらを接続する流路配管など、液体を制御する各機構については、装置内で発生する漏水を防ぐために十分な対策が施されている。しかしながら、例えば地震などの災害により不測の事態が発生し、各機構が重大な被害を受けたり、損傷が発生した場合、前記各機構からの漏水を完全に防ぐことは難しい。
【０００６】
特許文献１においては、反応チャンバが所定の水位を超えた場合に生じるオーバーフロー液を、送液管を通じて受け皿としての貯留容器に導く配管構造が開示されているが、液体を制御するその他の構造（給水ポンプ、給水タンク、試薬ボトルなど）から漏水が生じた場合や、送液管自体が災害により破損することにより漏水が生じた場合については対応することができない。さらに、貯留容器は筺体とは別の部品として構成されているため、例えば受け皿を自動分析装置に組み付け忘れた場合や、分析装置の動作時や輸送時の振動により、受け皿が所定の位置からずれた場合に漏水を十分に防ぐことはできない。さらに受け皿を取り付けた分製作コストが上がってしまう。
【０００７】
本発明の目的は、災害などの不測の事態が発生し、自動分析装置の筺体内部に設置している液体を制御する機構が損傷して漏水が発生した場合でも、漏水による装置自体へのダメージを最小限に留めることにある。
【課題を解決するための手段】
【０００８】
本願において開示される発明のうち、代表的なものの概要を簡単に説明すれば次の通りである。
【０００９】
分析動作に必要な液体を扱う手段と、上面、底面および側面を有し、これらの面で囲まれた空間に前記手段を収容する筐体と、前記筐体の底面に設けられた排水溝と、前記排水溝内の水を装置外部に排出する排出口を備えことを特徴としている。
【発明の効果】
【００１０】
災害などの不測の事態が発生し、自動分析装置の筺体内部に設置している液体を制御する機構が損傷して漏水が発生した場合でも、装置外部への浸水を防ぐことができる。
【図面の簡単な説明】
【００１１】
【図１】底面に受水構造を備えた自動分析装置の構成図
【図２】本発明における筺体の第一の実施形態
【図３】本発明における筺体の第二の実施形態
【図４】本発明における筺体の第二の実施形態における液体の通過経路
【図５】本発明における筺体の第三の実施形態
【発明を実施するための形態】
【００１２】
図１により、本発明の実施形態に係る自動分析装置の構成について説明する。
【００１３】
本実施例における自動分析装置は、試薬容器１９を円周上に複数配置した回転移動可能な試薬ディスク１８と、分析対象となる試料を収納した試料容器１２を円周上に複数配置した回転移動可能な試料ディスク１１と、試料と試薬を反応させる透明な反応容器１６を円周上に複数配置した、回転移動可能な反応ディスク１５を有する。
【００１４】
試料の分析では、まず分注ノズルを備えた試料分注機構１３を用いて試料ディスク１１上に配置している試料容器１２から試料を所定量吸引し、反応ディスク１５上に配置している反応容器１６に吐出する。次に分注ノズルを備えた試薬分注機構２０を用いて試薬ディスク１８上に配置している試薬容器１９から試薬を所定量吸引し、前記試料を吐出した反応容器１６に吐出して試薬と試料を反応させる。その後、一定時間、試薬と試料が反応した反応溶液１６の透過光量を光度計１７で測定し、測定情報から分析結果を算出し、オペレータに報告する。前記各動作は、制御装置７０によって制御される。
【００１５】
自動分析装置では分析を実施する際に、純水や洗浄液など多量の液体を使用する。例えば、試料分注機構１３および試薬分注機構２０については、試料や試薬のコンタミネーションを防止するため、試料または試薬を吐出した後に洗浄される。分注ノズルの洗浄には、外部の純水装置（図示せず）から給水タンク３１に供給される純水を使用する。給水タンク３１内の純水は、給水ポンプ３０によって流路４１を介して洗浄槽へ供給され、試料分注ノズル洗浄機構１４、試薬分注ノズル洗浄機構２１の分注ノズルを洗浄槽内に浸漬させる、あるいは純水をノズルにかけ洗いすることで、各分注ノズルの洗浄を行う。洗浄機構への純水の供給はバルブ４０によりＯＮ／ＯＦＦ制御される。
【００１６】
また、分析が終了した反応容器１６については、洗浄ボトル３２から流路４１を介して供給された洗浄液を使用し、反応容器洗浄機構２２を用いて洗浄される。反応容器洗浄機構２２は、反応液が排出された後の反応容器１６内に洗浄ボトル３２内の洗浄液を吐出することにより、反応容器の供給をおこなう。洗浄が終了した反応容器１６は分析に再使用される。洗浄液は洗浄ボトルから図示しないポンプおよびバルブ４０を介して反応容器洗浄機構２２へ送液されている。
【００１７】
また、反応ディスクは一定温度で反応を進行させるため、恒温槽を備えている場合が多い。恒温槽中では、反応容器は一定温度に温調された恒温水に浸漬させた状態で保持されている。恒温水はタンクから供給され、専用の流路を循環されることによって常に一定の温度に保たれるよう制御されている。
【００１８】
次に本発明における自動分析装置の筺体構造の特徴について説明する。
【００１９】
本発明における自動分析装置においては、自動分析装置における分析動作に必要な液体を扱う、給水ポンプ３０、給水タンク３１、洗浄ボトル３２といった構造はすべて自動分析装置の筐体１０内の底面１０−５の上に設置されている。ここで筐体１０は、分注や測定といった作業を実行する作業面１０−１、側面カバー１０−２、背面カバー１０−３、前面カバー１０−４、底面１０−５を有し、これらの面に囲まれた領域内に各種機構や流路配管、半導体部品などを収容している。また、底面１０−５にはキャスターが設けられていることが多い。筺体１０の底面部は下面全体が水密構造となっており、一定量の液体を受水できる排水溝５０を有している。
【００２０】
排水溝５０は、災害などの不測の事態により、給水ポンプ３０や給水タンク３１、洗浄ボトル３２、およびこれらを接続する配管などの液体を取り扱う機構から漏水が発生した場合、当該漏水を排水溝５０に受水することができる。また、底面１０−５の排水溝５０で受水した漏水は、排水溝５０の一部に設けられた排出口６０より自動分析装置の外部に排出される。排出口６０は受水した水を外部に排水するための配管が接続可能であり、施設ごとに設けられた適切な排水先（廃液を貯留し、処理する設備）に送水される。
【００２１】
他の実施例として、例えば、図２のような筐体構造の工夫をしていても良い。図２では、給水ポンプ３０が設置されている場所は、背面カバー１０−３と壁１０−Ａによって区切られ、開口部１０−６を有する領域内である。開口部の近傍には排水溝５０が設けられている。これによって、領域内で発生した漏水は筐体前面と壁１０−Ａの間の開口部１０−６を介して排水溝５０に導かれ排水口６０から排出される。本実施例によれば、万が一、給水ポンプから漏水が発生したとしても、発生した漏水は壁１０−Ａによって阻まれ、他の領域へ拡散することはない。
【００２２】
なお、給水ポンプ以外にも、給水タンク、洗浄ボトルといった液体を扱う他の機構をこの領域内に配置しても良い。また、本実施例では壁１０−Ａおよび排水溝５０により給水ポンプの設置された領域を他の領域から区切っているが、給水ポンプなどが設けられた空間に発生した漏水が他の領域に拡散しなければ良いため、この方式に限られない。例えば、給水ポンプが設けられた領域の周囲を排水溝５０で囲うように構成しても良いし、排水溝５０へ導く経路として複数の開口部を有するように構成しても良い。
【００２３】
他の実施例として、例えば、図３のような筐体構造の工夫をしていても良い。図３では、作業面１０−１の下方であって、かつ底面１０−５の上方に面１０−Ｂを有した筺体構造を有する。面１０−Ｂは開口部１０−７を有しており、当該開口部１０−７は壁１０−Ａで囲まれた領域の上に位置している。これにより、不測の事態により作業面１０−１に設けられた試料分注ノズル洗浄機構１４や試薬分注ノズル洗浄機構２１、恒温槽などの各機構から漏水が発生した場合であっても、生じた漏水は開口部１０−７と開口部１０−６を介して所定の経路で排水溝５０に導かれ排水口６０から排出される。
【００２４】
また、漏水の通過する経路を規定するように構成することで、浸水に脆弱な機構８０（半導体部品など）は面１０−Ｂより下面であって壁１０−Ａと排水溝５０によって囲まれた領域以外の領域に配置することにより、不測の事態により漏水が発生しても浸水しないような構造とすることができる。なお、図４は図３で示す前記漏水が導かれる経路を説明した模式図である。作業面上に設けられた機構から発生した漏水は、面１０−Ｂ上に滴下し、開口部１０−７を介して壁１０−Ａで囲まれた領域に導かれ、開口部１０−６を介して排水溝５０から排水口６０へと排出される。
【００２５】
図５は、他の実施例として底面１０−５の上方に設けられる面１０−Ｂに代えて、開口部に向かって傾斜する面１０−Ｃを有する自動分析装置である。傾斜形状を有することにより、漏水が排水溝５０に導かれやすい。
【００２６】
本発明によれば、災害などの不測の事態が発生し、自動分析装置の筺体内部に設置している液体を制御する機構が損傷して漏水が発生した場合でも、装置外部への浸水を防ぐことができる。
【００２７】
また、漏水を受ける排水溝および排出口を装置の筺体構造と一体化することで、部品の組み付け忘れや動作、輸送時の振動による影響を受けずに漏水を防止することが可能であり、さらに製作コストについても削減される。
【００２８】
なお、本実施例では生化学自動分析装置に本発明を適用した例を説明したが、生化学自動分析装置に限られるものではなく、例えば免疫自動分析装置や、凝固装置などに適用しても良い。
【符号の説明】
【００２９】
１０      筺体
１０−Ａ  筺体構造Ａ
１０−Ｂ  筺体構造Ｂ
１０−Ｃ  筺体構造Ｃ
１１      試料ディスク
１２      試料容器
１３      試料分注機構
１４      試料分注ノズル洗浄機構
１５      反応ディスク
１６      反応容器
１７      光度計
１８      試薬ディスク
１９      試薬容器
２０      試薬分注機構
２１      試薬分注ノズル洗浄機構
２２      反応容器洗浄機構
３０      給水ポンプ
３１      給水タンク
３２      洗浄ボトル
４０      バルブ
４１      流路
５０      排水溝
６０      排水口
７０      制御装置
８０      半導体部品
【図１】
2015141143.tif 000003
【図２】
2015141143.tif 000004
【図３】
2015141143.tif 000005
【図４】
2015141143.tif 000006
【図５】
2015141143.tif 000007